(57)【要約】【課題】化学薬品が塗布された検査紙の保存条件を適切に保つことができる管理装置を提供する。【解決手段】検査紙用の容器には有効期限に関する情報を記憶した媒体が配置され、メータ１には、検査紙用の容器に配置された有効期限に関する情報を記憶したＩＣタグからタグ情報を読み取るためのＩＣタグリーダ１２３が設けられる。ＩＣタグリーダ１２３は、容器が閉状態である場合には読み取られず、容器のロック機構を解除するためのメータ１の開封機構で開状態となった際に読み取られる位置に設けられる。メータ１は、開封ロック機構が解除されたときの現在日と読み取られたタグ情報に含まれる有効期限とを比較することで、検査紙用容器に保存された検査紙が有効期限内であるか否かを判断する期日判断部５０９と、その判断結果を表示するための表示部１１とを備える。【選択図】図１０
2012202691.tif 000002
【特許請求の範囲】
【請求項１】
検査紙用容器に保存された検査紙の有効期限の管理を行なうための管理装置であって、
前記検査紙用容器には有効期限に関する情報を記憶した媒体が配置され、
前記検査紙用容器は、当該検査紙用容器に対して蓋が閉状態から開状態と移行するためのロック機構を有し、
前記ロック機構を解除するための解除手段と、
前記媒体から前記有効期限に関する情報を読み取るための読取手段と、
前記検査紙用容器に保存された検査紙が前記有効期限内であるか否かを判断するための判断手段と、
前記判断手段での判断結果を報知するための報知手段とを備え、
前記読取手段は、前記蓋が閉状態である場合には前記検査紙用容器に配置された前記媒体から前記有効期限に関する情報が読み取られず、開状態となった際に前記媒体から前記有効期限に関する情報を読み取られる位置に設けられ、
前記判断手段は、前記解除手段によって前記検査紙用容器の前記ロック機構が解除されたときに、現在日と前記読取手段によって前記媒体から読み取られた情報を解析して得られた前記有効期限とを比較することで、前記検査紙用容器に保存された検査紙が前記有効期限内であるか否かを判断する、管理装置。
【請求項２】
前記有効期限に関する情報は、前記検査紙用容器を最初に開封した日から日数としての有効期限を特定する情報と、前記検査紙用容器を識別する情報とを含み、
前記読取手段で前記検査紙用容器から前記有効期限に関する情報を最初に読み取った日を記憶するための記憶手段をさらに備え、
前記判断手段は、前記解除手段によって前記検査紙用容器の前記ロック機構が解除されたときに、前記読取手段によって前記媒体から読み取られた情報を解析して得られた前記検査紙用容器を最初に開封した日から日数としての有効期限と、前記前記検査紙用容器を最初に開封した日からの日数とを比較することで、前記検査紙用容器に保存された検査紙が前記検査紙用容器を最初に開封した日から日数としての有効期限内であるか否かをさらに判断する、請求項１に記載の管理装置。
【請求項３】
前記有効期限に関する情報は前記検査紙用容器を識別する情報を含み、
前記判断手段は、前記読取手段での前記情報の読み取りに基づいて前記解除手段によって前記検査紙用容器の前記ロック機構が解除された回数をカウントし、前記解除手段によって前記検査紙用容器の前記ロック機構が解除されたときに、前記カウントされた回数から得られる前記検査紙用容器内の検査紙の枚数が予め記憶されている枚数から所定範囲となっているか否かをさらに判断する、請求項１または２に記載の管理装置。
【請求項４】
前記解除手段は、前記検査紙用容器に対する状態を第１の状態から第２の状態へと変化させることで前記ロック機構を解除し、
前記読取手段は、前記検査紙用容器に対して前記第２の状態であるときに前記媒体から前記有効期限に関する情報を読み取り可能な位置に設けられる、請求項１〜３のいずれかに記載の管理装置。
【請求項５】
化学薬品が塗布された検査紙を用いて、当該検査紙に浸透した液体の測定を行なうための測定装置であって、
前記検査紙を保存するための検査紙用容器には有効期限に関する情報を記憶した媒体が配置され、
前記検査紙用容器は、当該検査紙用容器に対して蓋が閉状態から開状態と移行するためのロック機構を有し、
前記検査紙に浸透した前記液体と前記化学薬品との間の化学反応を測定することで、前記液体から測定値を得るための測定手段と、
前記ロック機構を解除するための解除手段と、
前記媒体から前記有効期限に関する情報を読み取るための読取手段と、
前記検査紙用容器に保存された検査紙が前記有効期限内であるか否かを判断するための判断手段と、
前記判断手段での判断結果を報知するための報知手段とを備え、
前記読取手段は、前記蓋が閉状態である場合には前記検査紙用容器に配置された前記媒体から前記有効期限に関する情報が読み取られず、開状態となった際に前記媒体から前記有効期限に関する情報を読み取られる位置に設けられ、
前記判断手段は、前記解除手段によって前記検査紙用容器の前記ロック機構が解除されたときに、現在日と前記読取手段によって前記媒体から読み取られた情報を解析して得られた前記有効期限とを比較することで、前記検査紙用容器に保存された検査紙が前記有効期限内であるか否かを判断する、測定装置。
【請求項６】
前記有効期限に関する情報は、前記検査紙用容器を最初に開封した日から日数としての有効期限を特定する情報と、前記検査紙用容器を識別する情報とを含み、
前記読取手段で前記検査紙用容器から前記有効期限に関する情報を最初に読み取った日を記憶するための第１の記憶手段をさらに備え、
前記判断手段は、前記解除手段によって前記検査紙用容器の前記ロック機構が解除されたときに、前記読取手段によって前記媒体から読み取られた情報を解析して得られた前記検査紙用容器を最初に開封した日から日数としての有効期限と、前記前記検査紙用容器を最初に開封した日からの日数とを比較することで、前記検査紙用容器に保存された検査紙が前記検査紙用容器を最初に開封した日から日数としての有効期限内であるか否かをさらに判断する、請求項５に記載の測定装置。
【請求項７】
前記有効期限に関する情報は前記検査紙用容器を識別する情報を含み、
前記判断手段は、前記読取手段での前記情報の読み取りに基づいて前記解除手段によって前記検査紙用容器の前記ロック機構が解除された回数をカウントし、前記解除手段によって前記検査紙用容器の前記ロック機構が解除されたときに、前記カウントされた回数から得られる前記検査紙用容器内の検査紙の枚数が予め記憶されている枚数から所定範囲となっているか否かをさらに判断する、請求項５または６に記載の測定装置。
【請求項８】
前記測定手段での測定動作を制御するための制御手段をさらに備え、
前記制御手段は、前記判断手段によって前記検査紙用容器に保存された検査紙が前記有効期限内でないと判断された場合に、その後の測定動作を行なわないように前記測定手段を制御する、請求項５〜７のいずれかに記載の測定装置。
【請求項９】
前記測定手段での測定結果を記憶するための第２の記憶手段をさらに備え、
前記第２の記憶手段は、前記判断手段によって前記検査紙用容器に保存された検査紙が前記有効期限内でないと判断された場合に、前記測定結果を前記判断手段での判断結果を示す情報と共に記憶する、請求項５〜７のいずれかに記載の測定装置。
【請求項１０】
化学薬品が塗布された検査紙を保存するための容器であって、
ボトル部と、
蓋部と、
前記ボトル部に対して前記蓋部が閉状態から開状態と移行するためのロック機構と、
有効期限に関する情報を記憶した媒体とを備え、
前記ロック機構は、解除手段を有する装置によって解除可能であって、
前記解除手段を有する装置は前記媒体から前記有効期限に関する情報を読み取るための読取手段をさらに含み、
前記媒体は、前記ロック機構が施錠状態である際に前記解除手段を有する装置に含まれる前記読取手段において読取可能な位置ではなく、前記ロック機構が開錠状態となった際に前記読取手段において読取可能な位置に設けられる、検査紙用容器。
【請求項１１】
検査紙用容器に保存された検査紙の有効期限の管理方法であって、
前記検査紙用容器には有効期限に関する情報を記憶した媒体が配置され、
前記検査紙用容器は、当該検査紙用容器に対して蓋が閉状態から開状態と移行するためのロック機構を有し、
前記ロック機構は、解除手段を有する装置によって解除可能であって、
前記解除手段を有する装置は前記媒体から前記有効期限に関する情報を読み取るための読取手段をさらに含み、
前記媒体は、前記ロック機構が施錠状態である際に前記解除手段を有する装置に含まれる前記読取手段において読取可能な位置ではなく、前記ロック機構が開錠状態となった際に前記読取手段において読取可能な位置に設けられ、
前記装置を用いて前記ロック機構が施錠状態から開錠状態に遷移したときに、前記読取手段で前記媒体から前記有効期限に関する情報を読み取るステップと、
前記読み取るステップで前記情報が読み取られた日時と、前記読み取るステップで前記媒体から読み取られた前記情報を解析して得られた前記有効期限とを比較することで、前記検査紙用容器に保存された検査紙が前記有効期限内であるか否かを判断するステップと、
前記判断するステップでの判断結果を報知するステップとを備える、検査紙の管理方法。
【発明の詳細な説明】
【技術分野】
【０００１】
この発明は管理装置、測定装置、検査紙用容器、および検査紙の管理方法に関し、特に、化学薬品が塗布された検査紙の管理を行なうための管理装置、測定装置、検査紙用容器、および検査紙の管理方法に関する。
【背景技術】
【０００２】
糖尿病患者は、治療・管理のために、日々、定期的に血糖計により血糖値を測定、記録する必要がある。
【０００３】
侵襲式の測定装置を用いて血糖値を測定する場合、指先等を針で刺し、グルコースオキシダーゼやグルコースデヒドロゲナーゼなどのグルコースと反応する化学薬品が塗布された検査紙に血液を吸収させる。この化学薬品は、血液中のグルコースと特異的に反応して反応物（たとえばフェリシアン化カリウム）を生成する。血液を吸収した検査紙を測定装置にセットすることで、測定装置では上記酸化還元反応によって生じる電流を測定する。そして、得られた電流値をグルコース濃度に換算して血糖値を出力する。
【０００４】
このように、侵襲式の測定装置で用いられる検査紙には化学薬品が塗布されているため、保管に際して、温度や、湿度や、使用期限日や、容器開封後の日数など、管理上の条件がある。特に、糖尿病患者は日々の測定に用いるために検査紙を家庭で管理するため、その管理上の条件を満たすことが重要となる。このような管理は、血糖値の測定のための検査紙の管理に限らず、尿糖の測定のための検査紙や、妊娠検査用の検査紙や、リトマス検査紙などの管理でも同様の条件が要求される。
【０００５】
上記条件のうち、保存温度は室内に保存することで、湿度管理は専用容器に保存して使用時に取り出すことで、比較的に容易に管理上の条件を満たすことができる。
【先行技術文献】
【特許文献】
【０００６】
【特許文献１】特開平１１−２７１３１５号公報
【発明の概要】
【発明が解決しようとする課題】
【０００７】
しかしながら、上記条件のうちの使用期限日は、使用者自らが保存容器に記載された使用期限日を読み取り随時管理する必要がある。また、容器開封後の日数は、自ら使用開始日を記録して経過日数を管理する必要がある。そのため、これら条件は使用者が日々の使用において十分注意をしていないと満たされなくなってしまうことがある、という問題がある。
【０００８】
検査紙の使用期限が過ぎたり容器開封後の日数が期限日数を過ぎたりしたことに気付いた時点で新たに検査紙を取り寄せても、使用者の手元に届くまでに日数がかかることがあり、その間は血糖値の測定ができない、という問題が発生したり、期限の過ぎた検査紙を用いると測定精度が低くなることがあり、測定値の信用度が低下する、という問題が発生したりしていた。
【０００９】
なお、特開平１１−２７１３１５号公報（特許文献１）は、尿自動分析装置で用いる検査紙の有効期限を管理し得る装置を開示している。開示されている尿自動分析装置には、検査紙が入ったカートリッジがセットされ、当該カートリッジに貼付された記憶媒体に予め有効期限などの情報が記憶されている。そして、当該分析装置で分析開始時にカートリッジに貼付された記憶媒体からその情報を読み取るものである。
【００１０】
しかしながら、この技術は、検査紙が入ったカートリッジを尿自動分析装置にセットして分析動作が行なわれることが前提であり、使用者によって容器から検査紙が取り出されて測定に用いられる場合には、この技術を利用することができない。
【００１１】
本発明はこのような問題に鑑みてなされたものであって、化学薬品が塗布された検査紙の保存条件を適切に保つための管理装置、測定装置、検査紙用容器、および検査紙の管理方法を提供することを目的としている。
【課題を解決するための手段】
【００１２】
上記目的を達成するために、本発明のある局面に従うと、管理装置は検査紙用容器に保存された検査紙の有効期限の管理を行なうための管理装置である。検査紙用容器には有効期限に関する情報を記憶した媒体が配置され、検査紙用容器は、当該検査紙用容器に対して蓋が閉状態から開状態と移行するためのロック機構を有する。管理装置は、ロック機構を解除するための解除手段と、媒体から有効期限に関する情報を読み取るための読取手段と、検査紙用容器に保存された検査紙が有効期限内であるか否かを判断するための判断手段と、判断手段での判断結果を報知するための報知手段とを備える。読取手段は、蓋が閉状態である場合には検査紙用容器に配置された媒体から有効期限に関する情報が読み取られず、開状態となった際に媒体から有効期限に関する情報を読み取られる位置に設けられ、判断手段は、解除手段によって検査紙用容器のロック機構が解除されたときに、現在日と読取手段によって媒体から読み取られた情報を解析して得られた有効期限とを比較することで、検査紙用容器に保存された検査紙が有効期限内であるか否かを判断する。
【００１３】
好ましくは、有効期限に関する情報は、検査紙用容器を最初に開封した日から日数としての有効期限を特定する情報と、検査紙用容器を識別する情報とを含み、読取手段で検査紙用容器から有効期限に関する情報を最初に読み取った日を記憶するための記憶手段をさらに備え、判断手段は、解除手段によって検査紙用容器のロック機構が解除されたときに、読取手段によって媒体から読み取られた情報を解析して得られた検査紙用容器を最初に開封した日から日数としての有効期限と、検査紙用容器を最初に開封した日からの日数とを比較することで、検査紙用容器に保存された検査紙が検査紙用容器を最初に開封した日から日数としての有効期限内であるか否かをさらに判断する。
【００１４】
好ましくは、有効期限に関する情報は検査紙用容器を識別する情報を含み、判断手段は、読取手段での情報の読み取りに基づいて解除手段によって検査紙用容器のロック機構が解除された回数をカウントし、解除手段によって検査紙用容器のロック機構が解除されたときに、カウントされた回数から得られる検査紙用容器内の検査紙の枚数が予め記憶されている枚数から所定範囲となっているか否かをさらに判断する。
【００１５】
好ましくは、解除手段は、検査紙用容器に対する状態を第１の状態から第２の状態へと変化させることでロック機構を解除し、読取手段は、検査紙用容器に対して第２の状態であるときに媒体から有効期限に関する情報を読み取り可能な位置に設けられる。
【００１６】
本発明の他の局面に従うと、測定装置は化学薬品が塗布された検査紙を用いて、当該検査紙に浸透した液体の測定を行なうための測定装置である。検査紙を保存するための検査紙用容器には有効期限に関する情報を記憶した媒体が配置され、検査紙用容器は、当該検査紙用容器に対して蓋が閉状態から開状態と移行するためのロック機構を有する。測定装置は、検査紙に浸透した液体と化学薬品との間の化学反応を測定することで、液体から測定値を得るための測定手段と、ロック機構を解除するための解除手段と、媒体から有効期限に関する情報を読み取るための読取手段と、検査紙用容器に保存された検査紙が有効期限内であるか否かを判断するための判断手段と、判断手段での判断結果を報知するための報知手段とを備える。読取手段は、蓋が閉状態である場合には検査紙用容器に配置された媒体から有効期限に関する情報が読み取られず、開状態となった際に媒体から有効期限に関する情報を読み取られる位置に設けられ、判断手段は、解除手段によって検査紙用容器のロック機構が解除されたときに、現在日と読取手段によって媒体から読み取られた情報を解析して得られた有効期限とを比較することで、検査紙用容器に保存された検査紙が有効期限内であるか否かを判断する。
【００１７】
好ましくは、有効期限に関する情報は、検査紙用容器を最初に開封した日から日数としての有効期限を特定する情報と、検査紙用容器を識別する情報とを含む。測定装置は、読取手段で検査紙用容器から有効期限に関する情報を最初に読み取った日を記憶するための第１の記憶手段をさらに備える。判断手段は、解除手段によって検査紙用容器のロック機構が解除されたときに、読取手段によって媒体から読み取られた情報を解析して得られた検査紙用容器を最初に開封した日から日数としての有効期限と、検査紙用容器を最初に開封した日からの日数とを比較することで、検査紙用容器に保存された検査紙が検査紙用容器を最初に開封した日から日数としての有効期限内であるか否かをさらに判断する。
【００１８】
好ましくは、有効期限に関する情報は検査紙用容器を識別する情報を含み、判断手段は、読取手段での情報の読み取りに基づいて解除手段によって検査紙用容器のロック機構が解除された回数をカウントし、解除手段によって検査紙用容器のロック機構が解除されたときに、カウントされた回数から得られる検査紙用容器内の検査紙の枚数が予め記憶されている枚数から所定範囲となっているか否かをさらに判断する。
【００１９】
好ましくは、測定装置は測定手段での測定動作を制御するための制御手段をさらに備え、制御手段は、判断手段によって検査紙用容器に保存された検査紙が有効期限内でないと判断された場合に、その後の測定動作を行なわないように測定手段を制御する。
【００２０】
好ましくは、測定装置は測定手段での測定結果を記憶するための第２の記憶手段をさらに備え、第２の記憶手段は、判断手段によって検査紙用容器に保存された検査紙が有効期限内でないと判断された場合に、測定結果を判断手段での判断結果を示す情報と共に記憶する。
【００２１】
本発明のさらに他の局面に従うと、検査紙用容器は化学薬品が塗布された検査紙を保存するための容器であって、ボトル部と、蓋部と、ボトル部に対して蓋部が閉状態から開状態と移行するためのロック機構と、有効期限に関する情報を記憶した媒体とを備える。ロック機構は、解除手段を有する装置によって解除可能であって、解除手段を有する装置は媒体から有効期限に関する情報を読み取るための読取手段をさらに含む。媒体は、ロック機構が施錠状態である際に解除手段を有する装置に含まれる読取手段において読取可能な位置ではなく、ロック機構が開錠状態となった際に読取手段において読取可能な位置に設けられる。
【００２２】
本発明のさらに他の局面に従うと、検査紙の管理方法は検査紙用容器に保存された検査紙の有効期限の管理方法であって、検査紙用容器には有効期限に関する情報を記憶した媒体が配置され、検査紙用容器は、当該検査紙用容器に対して蓋が閉状態から開状態と移行するためのロック機構を有し、ロック機構は、解除手段を有する装置によって解除可能である。解除手段を有する装置は媒体から有効期限に関する情報を読み取るための読取手段をさらに含む。媒体は、ロック機構が施錠状態である際に解除手段を有する装置に含まれる読取手段において読取可能な位置ではなく、ロック機構が開錠状態となった際に読取手段において読取可能な位置に設けられる。検査紙の管理方法は、上記装置を用いてロック機構が施錠状態から開錠状態に遷移したときに、読取手段で媒体から有効期限に関する情報を読み取るステップと、読み取るステップで情報が読み取られた日時と、読み取るステップで媒体から読み取られた情報を解析して得られた有効期限とを比較することで、検査紙用容器に保存された検査紙が有効期限内であるか否かを判断するステップと、判断するステップでの判断結果を報知するステップとを備える。
【発明の効果】
【００２３】
この発明によると、化学薬品が塗布された検査紙の保存条件を適切に保つことができる。
【図面の簡単な説明】
【００２４】
【図１】実施の形態にかかるメータの外観の概要を表わした図である。
【図２】検査紙用の容器の形状の概要を表わした図である。
【図３】検査紙用の容器の蓋の構成の概要を表わした図である。
【図４】蓋がボトルに対して開錠状態であるときの施錠鍵の状態を表わした図である。
【図５】施錠状態の容器の蓋をメータに対してセットした状態を上から見た図である。
【図６】施錠状態の容器の蓋をメータに対してセットした状態を横からの断面概略図である。
【図７】施錠状態から開錠状態に至ったときの容器およびメータの状態を上から見た図である。
【図８】施錠状態から開錠状態に至ったときの容器およびメータの、横からの断面概略図である。
【図９】メータの構成の具体例を示す図である。
【図１０】メータの機能構成の具体例を示すブロック図である。
【図１１】メータでの動作を表わすフローチャートである。
【図１２】図１１のフローチャートに表わされた動作に伴ってメータの表示部に表示される画面の具体例を示す図である。
【発明を実施するための形態】
【００２５】
以下に、図面を参照しつつ、本発明の実施の形態について説明する。以下の説明では、同一の部品および構成要素には同一の符号を付してある。それらの名称および機能も同じである。
【００２６】
＜構造の説明＞
本実施の形態にかかる血糖値測定装置（以下、メータと称する）は、侵襲式で被験者の血糖値を測定する装置であって、血液を吸収させた、グルコースオキシダーゼやグルコースデヒドロゲナーゼなどのグルコースと反応する化学薬品が塗布された検査紙がセットされることで、上記薬品と血液中のグルコースとの酸化還元反応によって生じる電流を測定する。
【００２７】
この機能構成自体は、通常の、血糖値測定装置における測定機能を採用することができる。
【００２８】
図１は、本実施の形態にかかるメータ１の外観の概要を表わした図である。
メータ１の筐体は六面体形状を有し、そのうちの一面に測定結果などを表示するための表示部１１が設けられる。表示部１１が設けられたメータ１の一面を「正面」とする。
【００２９】
図１（Ａ）はメータ１の正面図であり、図１（Ｂ）はメータ１の左側面図であり、図１（Ｃ）はメータ１の底面図である。
【００３０】
図１を参照して、メータ１の筐体には、表示部１１の他、後述する検査紙用の容器２（図２参照）を開封するための開封機構１２が備えられる。開封機構１２はガイド１２１を含む。図１（Ｃ）を参照して、ガイド１２１は、メータ１の筐体底面から、筐体の高さＨよりも低い高さｈの分だけ円弧状にオフセットし、その、筐体底面から最も遠い面に半円状または略半円状の掛１２１Ａを有する。
【００３１】
開封機構１２には、ガイド１２１のオフセット面からメータ１の筐体底面に向かって伸びる開錠脚１２２が含まれる。開錠脚１２２の先端には、その伸張方向とは異なる方向に伸びる開錠鍵１２２Ａが設けられる。ガイド１２１のオフセット面から開錠脚１２２の先端までの長さである開錠脚１２２の高さは特定の高さに限定されるものではないが、メータ１を底面を下にして置いたときの安定性を考慮すると、その高さは好ましくはガイド１２１のオフセット高さｈと同じとする。図１（Ｃ）では開錠脚１２２の高さがガイド１２１のオフセット高さｈと同じである例が示されており、以降の説明でもそうであるものとする。
【００３２】
ガイド１２１のオフセット面側に、情報読取装置としてのＩＣタグリーダ１２３と、ホール素子１２４とが設けられる。ＩＣタグリーダ１２３は、ガイド１２１のオフセット面に相対したＩＣタグから情報を読み取り可能である。
【００３３】
図２は、検査紙用の容器２の形状の概要を表わした図である。
図２を参照して、検査紙用の容器２は、検査紙を格納するためのボトル２１と蓋２２とからなる。ボトル２１と蓋２２とは、開状態において完全に分離する構成であってもよいし、一部が分離せずにその他の部分が分離することでボトル２１内の検査紙が取り出されるだけ蓋２２が開く構成であってもよい。
【００３４】
ボトル２１は、さらに、密閉機構２１Ａと収容機構２１Ｂとからなり、密閉機構２１Ａ部分は、蓋２２が閉状態となることでその内部を密閉する構成を有する。一例として、図２に示されたように、密閉機構２１Ａ部分の構成は収容機構２１Ｂと同じ内径が蓋２２側に向けて伸径する構成とすることができる。さらに、その内壁の摩擦が収容機構２１Ｂのそれよりも高い構成としてもよい。
【００３５】
ボトル２１の密閉機構２１Ａの内側の一部には、後述する蓋２２に備えられる施錠機構２２４の施錠鍵が入り込んで施錠状態とするための凹部２１１が設けられる。
【００３６】
図３は、蓋２２の構成の概要を表わした図である。蓋２２の、ボトル２１に対して閉状態としたときにボトル２１から遠い側の面を「上面」とする。図３（Ａ）は蓋２２の上面図であり、図３（Ｂ）は蓋２２の正面図である。
【００３７】
図３（Ｂ）を参照して、蓋２２はボトル２１の最も大きい内径よりも大きな径を有するボトル蓋２２Ａと、ボトル２１の密閉機構２１Ａ部分の径と対応した径を有する密閉栓２２Ｂとから構成される。
【００３８】
ボトル蓋２２Ａの上面側には開錠孔２２１が設けられ、さらに、ＩＣタグ２２２およびマグネット２２３が配される。ここでは、後述する容器２に関する情報を記憶するための媒体としてＩＣタグを用いる例が示されているが、当該媒体はＩＣタグに限定されない。好ましくは、非接触で情報を読み取ることが可能な媒体であれば、たとえば光学的に非接触にて情報を読み取り可能なバーコードなどの、他の構成の媒体であってもよい。または、メータ１とボトル蓋２２Ａの上面とが後述する開錠状態とするための動作の過程で接触し得る形状とする場合には、接触して情報を読み取り可能な媒体であってもよい。
【００３９】
開錠孔２２１はボトル蓋２２Ａの上面から密閉栓２２Ｂに向けて削孔され、ボトル蓋２２Ａの上面から開錠孔２２１底部までの高さはメータ１の開錠脚１２２の高さ（つまり、ガイド１２１のオフセット高さｈ）よりも高く、蓋２２自体の高さよりも低いものとする。開錠孔２２１のボトル蓋２２Ａの上面における形状は、メータ１の開錠脚１２２および開錠鍵１２２Ａを概ねその高さ方向に従う方向に挿入可能な形状である。
【００４０】
ボトル蓋２２Ａの下面には施錠機構２２４が設けられる。施錠機構２２４は、密閉栓２２Ｂに向かう方向に伸びる施錠脚２２４Ａと、その伸張方向とは異なる方向に伸びる施錠鍵２２４Ｂとからなる。施錠鍵２２４Ｂは、施錠脚２２４Ａに対して、蓋２２がボトル２１に対して施錠状態であるときに、その一部が、直径がボトル蓋２２Ａに向けて伸径する密閉栓２２Ｂの面から突出し、ボトル２１の凹部２１１に入り込む位置に設けられる。
【００４１】
施錠機構２２４は、ボトル蓋２２Ａに対する施錠脚２２４Ａの位置は固定して施錠鍵２２４Ｂが施錠脚２２４Ａを軸として回転可能に設けられる。
【００４２】
図３（Ａ），（Ｂ）は、蓋２２がボトル２１に対して施錠状態であるときの施錠鍵２２４Ｂの状態を表わし、図４（Ａ），（Ｂ）は、蓋２２がボトル２１に対して開錠状態であるときの施錠鍵２２４Ｂの状態を表わしている。
【００４３】
図３（Ａ），（Ｂ）および図４（Ａ），（Ｂ）を参照して、施錠鍵２２４Ｂは施錠脚２２４Ａを軸として回転し、施錠鍵２２４Ｂが密閉栓２２Ｂの面から突出した位置にあるときが施錠状態、施錠鍵２２４Ｂが密閉栓２２Ｂの面より内側に収まり、突出しない位置にあるときが開錠状態となる。すなわち、施錠状態のときには施錠鍵２２４Ｂがボトル２１の凹部２１１と干渉して蓋２２がボトル２１から上方に移動することを阻み、開錠状態のときには施錠鍵２２４Ｂがボトル２１の凹部２１１と干渉しないために蓋２２がボトル２１から上方に移動することが可能となる。
【００４４】
図示されたように、ボトル蓋２２Ａの縁部は半円状または略半円状を有し、メータ１のガイド１２１のオフセット面に設けられた掛１２１Ａの形状はボトル蓋２２Ａの縁部の形状に対応している。また、ガイド１２１の円弧形状の径はボトル蓋２２Ａの径に一致している。これにより、メータ１のガイド１２１にボトル蓋２２Ａの一部形状を一致させてガイド１２１にボトル蓋２２Ａをセットすることで、ボトル蓋２２Ａの縁部がガイド１２１の掛１２１Ａにかみあい、ずれを防止する。
【００４５】
図５〜図８は、メータ１の開封機構１２を用いて容器２を施錠状態から開錠状態にする方法を説明する図である。図５は、施錠状態の容器２の蓋２２をメータ１に対してセットした状態を上から見た図であり、図６は、その状態の横からの断面概略図である。図７は、施錠状態から開錠状態に至ったときの容器２およびメータ１の状態を上から見た図であり、図８は、その状態の横からの断面概略図である。
【００４６】
図５を参照して、ボトル蓋２２Ａから密閉栓２２Ｂに向かう方向に設けられた施錠機構２２４の施錠脚２２４Ａは、容器２が施錠状態であるときに、開錠孔２２１に干渉しない。
【００４７】
施錠状態から開錠状態とするために、第１に、容器２の蓋２２がガイド１２１に一致するように容器２の蓋２２をメータ１に対してセットする。このとき、蓋２２のボトル蓋２２Ａに設けられた開錠孔２２１からメータ１の開錠脚１２２および開錠鍵１２２Ａが挿入されるようにセットする。図５には、この位置関係にあるメータ１と容器２とが表わされており、説明の簡便のため、メータ１側に設けられた構成は点線、容器２の蓋２２側に設けられた構成は実線で表わされている。この位置関係にあるメータ１と容器２との状態を第１状態とも称する。
【００４８】
図５を参照して、メータ１のＩＣタグリーダ１２３およびホール素子１２４は、第１状態において、それぞれ、容器２の蓋２２の上面側に設けられたＩＣタグ２２２およびマグネット２２３と一致しない位置に設けられる。それ故、施錠状態で容器２の蓋２２をメータ１に対してセットすると、ＩＣタグリーダ１２３では蓋２２の上面側に設けられたＩＣタグ２２２の情報が読み取られず、ホール素子１２４ではマグネット２２３が検出されない。
【００４９】
図６を参照して、蓋２２に設けられた施錠脚２２４Ａおよび施錠鍵２２４Ｂは、施錠状態において、施錠鍵２２４Ｂが開錠孔２２１から蓋２２に挿入された開錠脚１２２の先端にある開錠鍵１２２Ａが干渉しない位置に配される。そのため、第１状態において、開錠鍵１２２Ａは施錠鍵２２４Ｂに干渉しないために施錠鍵２２４Ｂはボトル２１の凹部２１１に入り込んだままとなっている。
【００５０】
施錠状態から開錠状態とするために、図５のように容器２の蓋２２をメータ１に対してセットした後、蓋２２をメータ１に対して左回り（図中矢印Ａ方向）、または、メータ１を蓋２２に対して右回り（図中矢印Ｂ方向）に、ガイド１２１に蓋２２の縁部を沿わせながら回転させる。
【００５１】
蓋２２に設けられた開錠孔２２１は、蓋２２とメータ１とをガイド１２１に蓋２２の縁部を沿わせながら回転させるに連れて開錠脚１２２が移動可能なように、少なくともその回転方向に向かって伸びる形状を有している。これにより、回転に連れて開錠脚１２２が開錠孔２２１から挿入された状態で移動する。好ましくは、開錠孔２２１は回転方向に向かって所定の長さを有し、開錠脚１２２がその終端に達して回転を終了させる。この、回転が終了した状態が図７および図８に表わされており、この位置関係にあるメータ１と容器２との状態を第２状態とも称する。
【００５２】
図７および図８を参照して、メータ１のＩＣタグリーダ１２３およびホール素子１２４は、第２状態において、それぞれ、容器２の蓋２２の上面側に設けられたＩＣタグ２２２およびマグネット２２３と一致する位置に設けられる。それ故、第２状態に達するとＩＣタグリーダ１２３では蓋２２の上面側に設けられたＩＣタグ２２２の情報が読み取られ、ホール素子１２４ではマグネット２２３が検出される。なお、ＩＣタグ２２２の情報をタグ情報とも称する。
【００５３】
図８を参照して、蓋２２に設けられた施錠脚２２４Ａおよび施錠鍵２２４Ｂは、第１状態から第２状態に至る過程において施錠鍵２２４Ｂが開錠孔２２１から蓋２２に挿入された開錠脚１２２の先端にある開錠鍵１２２Ａに干渉する位置に配される。先述のように、施錠鍵２２４Ｂは施錠脚２２４Ａを軸として回転可能に構成されている。そのため、第１状態から第２状態に至る過程において開錠鍵１２２Ａが施錠鍵２２４Ｂに干渉して施錠鍵２２４Ｂを施錠脚２２４Ａを軸として回転させ、図８に表わされたように、ボトル２１の凹部２１１から施錠鍵２２４Ｂを回避させる。これによって、蓋２２がボトル２１から上方に移動することを阻む要因が取り除かれることになり、施錠状態となる。
【００５４】
好ましくは、施錠鍵２２４Ｂには図示しないばね機構が含まれ、開錠鍵１２２Ａからの応力を受けない状態となるとボトル２１の凹部２１１に入り込む状態に戻る。それ故、第２状態を脱すると施錠鍵２２４Ｂはボトル２１の凹部２１１に入り込み、施錠状態に戻る。
【００５５】
なお、以上の容器２を開封するための機構は一例であり、容器２の蓋２２をメータ１に対してセットしてその位置関係を第１状態から第２状態に連続的に遷移させ、その過程において施錠状態から開錠状態に移行する構成であればどのような構成であってもよい。他の構成とする場合であっても、メータ１のＩＣタグリーダ１２３およびホール素子１２４は、第１状態では蓋２２のメータ１に相対する面に設けられたＩＣタグ２２２およびマグネット２２３とそれぞれ一致する位置になく、第１状態から第２状態に遷移する過程の開錠状態となった位置関係においてＩＣタグ２２２およびマグネット２２３とそれぞれ一致する位置に設けられる。
【００５６】
＜装置構成＞
図９は、メータ１の構成の具体例を示す図である。メータ１は、上述のようにユーザが容器２の開封にも用いることが想定されるものであるため、手で把持することが可能なサイズ、重量、および形状を有する。
【００５７】
図９を参照して、メータ１は、上述の開封機構１２としてのＩＣタグリーダ１２３およびホール素子１２４と、血糖を測定するための血糖測定部１３と、血糖値に基づく処理や後述する有効期限管理、残量管理を行なうための処理部１５と、表示部１１と、ボタンや数字キーなどの操作部１４とを備える。
【００５８】
メータ１は検査紙２Ａを挿入するための図示しない挿入孔を有し、血糖測定部１３は図示しない複数の電極を有する。血糖測定部１３には、２つの電極間の電流を測定するための電流測定部１３１が含まれる。
【００５９】
検査紙２Ａは、グルコースオキシダーゼやグルコースデヒドロゲナーゼなどのグルコースと反応する化学薬品が塗布された検査紙であり、被測定者は指先等を針で刺し、に血液をこの検査紙２Ａに吸収させる。この化学薬品は、血液中のグルコースと特異的に反応して反応物（たとえばフェリシアン化カリウム）を生成する。
【００６０】
血糖測定部１３の図示しない複数の電極は、上記挿入孔に挿入された検査紙２Ａに接触する位置に配置される。検査紙２Ａに塗布されている化学薬品と血液中のグルコースとの酸化還元反応によって、血糖測定部１３の上記電極に所定の電流が流れる。血糖測定部１３の電流測定部１３１はこの電流を測定し、電流値を処理部１５に入力する。
【００６１】
処理部１５は、ＣＰＵ（Central Processing Unit）５１と、ＣＰＵ５１で実行されるプログラムや測定値などを記憶するためのメモリ５２とを含む。
【００６２】
＜動作概要＞
本実施の形態にかかるメータ１では、容器２内の検査紙の有効期限管理と残量管理とを行なう。
【００６３】
具体的には、メータ１を用いて容器２を開封する都度、有効期限内であるか否かを判断し、それに基づく処理を行なう。また、容器２内の検査紙の残量が所定量に達しているか否かを判断し、それに基づく処理を行なう。
【００６４】
＜機能構成＞
図１０は、メータ１において上記動作を実行するための処理部１５の機能構成の具体例を示すブロック図である。図１０に示された各機能は、処理部１５のＣＰＵ５１がメモリ５２に記憶されるプログラムを読み込んで実行することで、主に、ＣＰＵ５１上に形成されるものであるが、少なくとも一部が電気回路などのハードウェアで構成されてもよい。
【００６５】
図１０を参照して、処理部１５は、血糖測定部１３の電流測定部１３１から電流値の入力を受け付けるための測定値入力部５０１と、予め電流値から血糖値を算出するための式を記憶しておき、入力された電流値から血糖値を算出するための血糖値算出部５０２と、算出された血糖値をメモリ５２の測定結果を記憶させるための所定領域に書き込むための測定値書込部５０３と、ＩＣタグリーダ１２３から当該ＩＣタグリーダ１２３がＩＣタグを読み取ることで得られたタグ情報の入力を受け付けるためのタグ情報入力部５０４と、入力されたタグ情報をメモリ５２の所定領域に書き込むためのタグ情報書込部５０５と、ホール素子１２４からのセンサ信号の入力を受け付けるためのセンサ信号入力部５０６と、容器２が開封されたことを判断し、開封時を特定する情報をメモリ５２の所定領域に書き込むための開封判断部５０７と、容器２内の検査紙の残量が所定量に達したか否かを判断するための残量判断部５０８と、容器２内の検査紙が有効期限内であるか否かを判断するための期日判断部５０９と、表示部１１での表示を制御するための表示処理部５１１とを含む。
【００６６】
容器２の蓋２２に設けられたＩＣタグ２２２には、当該容器２の固有情報（容器ＩＤ）と有効期限を表わす情報（有効期限情報）とが記憶されている。また、当該容器２に当初に封入されていた検査紙の枚数（封入枚数）を表わす情報が記憶されていてもよい。なお、この情報は、予めメータ１のメモリ５２に記憶されていてもよい。
【００６７】
有効期限は、製造時に基づいて設定された使用有効期限と、当該容器２の最初の開封時に基づいて設定された開封後有効期限との２種類が想定される。前者は検査紙に塗布された化学薬品が製造時からの時間経過に従って品質劣化することに対して設けられた有効期限であり、後者は未開封状態で容器２内に充填されていた保存剤から検査紙が脱したことによって化学薬品が品質劣化することに対して設けられた有効期限である。
【００６８】
メータ１のＩＣタグリーダ１２３はこれら情報を読み出し、タグ情報としてＣＰＵ５１に入力する。入力されたタグ情報はメモリ５２の所定領域に書き込まれる。
【００６９】
ホール素子１２４は、上述のように、第１状態から第２状態に遷移する過程において施錠状態から開錠状態に至ったときにマグネット２２３を検出する。そのため、開封判断部５０７は、ホール素子１２４からのセンサ信号の入力を受け付けることで、容器が開封されたことを判断することができる。
【００７０】
さらに、その状態においてＩＣタグリーダ１２３からタグ情報が入力される。入力されたタグ情報とメモリ５２に書き込まれているその直前に開封された容器から読み込まれたタグ情報とを比較することで、直前と同じ容器の開封であるか、新たな容器の開封であるかが判断される。
【００７１】
開封判断部５０７は、直前の容器と異なる容器が開封されたと判断した場合、メモリ５２のタグ情報を書き込む領域にその開封の際に入力されたタグ情報を上書きする。
【００７２】
残量判断部５０８は容器の開封回数をカウントするためのカウンタ５０８Ａを含む。開封判断部５０７において容器の開封が判断され、その開封が直前の容器と同じ容器２の開封である場合には、残量判断部５０８はカウンタ５０８Ａを１インクリメントする。そして、メモリ５２の所定領域に記憶されている当該容器２からのタグ情報に含まれる封入枚数からカウント数を減じることで残量を算出し、予め記憶しているしきい値と比較することで、残量が所定量に達しているか否かを判断する。
【００７３】
開封された容器が直前の容器と異なる容器である場合には、新たな容器の検査紙の使用が開始されたものとしてカウンタ５０８Ａを初期化した上で１インクリメントする。
【００７４】
期日判断部５０９は図示しない現在日時を得るための手段を含み、開封判断部５０７において容器の開封が判断されると、その開封日時とメモリ５２の所定領域に記憶されている当該容器２からのタグ情報に含まれる使用有効期限とを比較することで、使用有効期限内であるか否かを判断する。
【００７５】
開封判断部５０７において容器の開封が判断され、その開封が直前の容器と異なる容器の開封である場合には、新たな容器の検査紙の使用が開始されたものとして、期日判断部５０９はその開封時を記憶する。期日判断部５０９は、図示しない開封時からの経過日数をカウントするための手段を含み、開封判断部５０７において容器の開封が判断され、その開封が直前の容器と同じ容器２の開封である場合には、当該容器２の最初の開封時からの経過日数と、メモリ５２の所定領域に記憶されている当該容器２からのタグ情報に含まれる開封後有効期限とを比較することで、開封後有効期限内であるか否かを判断する。
【００７６】
表示処理部５１１は、測定結果である血糖値を表示部１１に表示させる処理と、上記判断結果を表示部１１に表示させる処理とを実行する。
【００７７】
血糖測定部１３は、期日判断部５０９において期日内でないと判断された場合に、その後の血糖値を測定する動作を実行しないようにしてもよい。すなわち、電流測定部１３１において、図示しない複数の電極間の電流の測定を実行しないようにしてもよい。血糖測定部１３での測定動作は実行し血糖値算出部５０２で測定値の算出を行なわないようにしてもよい。
【００７８】
＜動作フロー＞
図１１は、メータ１での動作を表わすフローチャートである。図１１のフローチャートに示される動作は、処理部１５のＣＰＵ５１がメモリ５２に記憶されるプログラムを読み込んで実行し、図１０の各機能を発揮させることによって実現される。
【００７９】
また、図１２は、図１１のフローチャートに表わされた動作に伴って表示部１１に表示される画面の具体例を示す図である。図１２の例では、一例として表示部１１に表示する例が示されているが、メータ１が図示しない通信機能を備える場合、この表示を行なわせるためのメールを予め記憶しているアドレスに対して送信してもよい。
【００８０】
図１１を参照して、ＣＰＵ５１は、ホール素子１２４からのセンサ信号の入力に基づいて、メータ１を用いて容器の開封がなされたことを検出する。
【００８１】
開封がなされたことが検出されると（ステップＳ１０１でＹＥＳ）、ＣＰＵ５１は、その開封と共に入力されたタグ情報に含まれる容器ＩＤとメモリ５２に記憶されているタグ情報に含まれる容器ＩＤとを比較することで、開封された容器が直前に開封された容器と同じものであるか否か、つまり、この開封が最初の開封であるか否かを判断する。
【００８２】
最初の開封である場合（ステップＳ１０３でＹＥＳ）、ステップＳ１０５でＣＰＵ５１は、入力されたタグ情報を、その開封時を特定する情報と共にメモリ５２の所定領域に書き込む。
【００８３】
次に、ＣＰＵ５１は、開封された容器内の検査紙が有効期限内であるか否かを判断する。
【００８４】
ここで、第１の判断として、当該容器についてのタグ情報に含まれる使用有効期限と開封日時とを比較することで、開封時が使用有効期限内であるか否かを判断する。
【００８５】
第２の判断として、当該容器についてのタグ情報に含まれる開封後有効期限と、カウントされている最初の開封時からの経過日数とを比較することで、開封時が開封後有効期限内であるか否かを判断する。
【００８６】
上記第１の判断および第２の判断共に有効期限内と判断された場合（ステップＳ１０７でＹＥＳ）、ステップＳ１０９でＣＰＵ５１は、開封回数をカウントするためのカウンタ５０８Ａを１インクリメントし、メモリ５２の所定領域に記憶されている当該容器のタグ情報に含まれる封入枚数からそのカウント値を減じることで残量を算出する。
【００８７】
ＣＰＵ５１は、予め記憶している残量のしきい値と上記ステップＳ１０９で算出された残量とを比較することで、残量が所定量に達しているか否か、つまり、残量がしきい値よりも少ないか否かを判断する。なお、上の説明では、この開封によって１枚検査紙が用いられた後の残量に基づいて判断を行なうものとしているが、上記ステップＳ１０９で１インクリメントする以前のカウント値を用いることで、この開封によって１枚検査紙が用いられる以前の残量に基づいた判断とすることもできる。
【００８８】
残量がしきい値よりも少ない、つまり、所定量に達していると判断されると（ステップＳ１１３でＹＥＳ）、ステップＳ１１３でＣＰＵ５１は、図１２（Ａ）に示されるような画面を表示部１１に表示させることで、その旨を表示部１１に表示させる。図１２（Ａ）の例では、残量（ＹＹ枚残）と共に、その残量を予め記憶されている一日の使用量で除することでその残量を使用可能な日数（ＸＸ（日））を算出して表示している。
【００８９】
その後、血糖値を測定する動作を実行し（ステップＳ１１５）、ステップＳ１１７で測定結果を表示部１１に表示させて、一連の動作を終了する。
【００９０】
なお、上記ステップＳ１１３でＣＰＵ５１は、表示部１１への表示に替えて、または表示に加えて、当該メータ１が通信機能を備える場合には、予め記憶されている発注先に対して自動的に検査紙を発注するメールを送信する処理を実行してもよい。この場合、図１２（Ｂ）のような画面を表示部１１に表示させ、残量や使用可能な日数を表示した上で発注の可否の入力を受け付けて、上記メールを送信するようにしてもよい。
【００９１】
一方、上記第１の判断および第２の判断の少なくとも一方でも有効期限内にないと判断された場合、つまり、開封時が使用有効期限を過ぎている場合、および／または開封後有効期限を過ぎている場合（ステップＳ１０７でＮＯ）、ステップＳ１１９でＣＰＵ５１は表示部１１に図１２（Ｃ）に示されるようなエラー表示を行ない、以降の測定動作を行なわずに一連の動作を終了する。
【００９２】
なお、図１１の例では、上記第１の判断および第２の判断の少なくとも一方でも有効期限内にないと判断された場合、つまり、開封時が使用有効期限を過ぎている場合には、エラー表示を行なって測定動作を行なわずに終了するものとしている。このようにすることで、有効期限を過ぎた検査紙を用いて測定が行なわれることを防止することができ、測定精度を担保することができる。
【００９３】
しかしながら、簡易な測定など、多少の測定精度が低下してもその検査紙を測定に用いたいという場合もある。そこで、他の例として、有効期限の条件が両方とも満たされていない場合であっても測定は実行するようにしてもよい。その場合、好ましくは、測定値をメモリ５２に記憶しないようにしてもよいし、または、有効期限内にない検査紙を用いて測定された測定値であることを示す情報と共にメモリ５２に記憶するようにしてもよい。
【００９４】
＜実施の形態の効果＞
メータ１および容器２が上述のように構成されることで、容器２を開封して検査紙を用いようとするユーザは、メータ１を用いて容器２から蓋２２を開錠することになる。そして、メータ１が上のように動作することで、開封動作に連動してメータ１において容器２内の検査紙の有効期限管理と残量管理と行なうことができる。つまり、ユーザの管理のための操作を必要とせずに通常の開封動作によって容器２内の検査紙の有効期限管理と残量管理と行なうことができる。
【００９５】
そのため、ユーザによる管理忘れがなく、また、煩雑な操作を必要とせずに、化学薬品が塗布された検査紙の保存条件を適切に保つことができる。
【００９６】
なお、以上の説明では、血糖値測定のために用いられる検査紙の有効期限管理と残量管理とを血糖値測定のための測定装置を利用して行なう例が示されている。しかしながら、この管理は血糖値測定のための検査紙の管理に限定されるものではなく、化学薬品が塗布されたことによって保存に条件を有する試料全般の管理に適用される。他の例としては、たとえば上述のように、尿糖の測定のための検査紙や、妊娠検査用の検査紙や、リトマス検査紙などの管理にも適用される。この場合にも、上の説明と同様に、測定に用いる測定装置に開封機構が設けられてそれを用いた開封動作に伴って管理がなされてもよいし、測定装置とは別の開封のための装置が用意されて、それを用いた開封動作に伴って管理がなされてもよい。つまり、開封機構が設けられた装置が測定装置である場合には、測定の際に必ず利用する装置であるためそれを用いて開封を行なうとするとユーザの利便性が高まるものであるが、必ずしも測定装置に限定されず、開封専用の装置を用意してそれを用いる構成としてもよい。
【００９７】
＜変形例１＞
なお、以上の説明では、容器２の蓋２２の上面にＩＣタグ２２２およびマグネット２２３が配される構成が例示されている。しかしながら、この例は、図５に示されたように、メータ１を用いて開封する際に、メータ１の開封機構１２を蓋２２の上面に相対するようにセットする場合の例であって、メータ１の開封機構１２に相対する面に備えられることが示されている。つまり、メータ１の開封機構１２が、当該開封機構１２を容器２の他の位置に相対するようにセットして開封する構成である場合、ＩＣタグ２２２およびマグネット２２３はメータ１の開封機構１２と相対する位置であって、施錠状態ではＩＣタグリーダ１２３およびホール素子１２４の位置とは一致せず、施錠状態から開錠状態に遷移する過程においてＩＣタグリーダ１２３およびホール素子１２４の位置と一致する位置に設けられていればよい。
【００９８】
＜変形例２＞
なお、以上の例では、容器２内の検査紙の有効期限管理と残量管理とを開封に用いられた装置であるメータ１が実行するものとしている。しかしながら、他の例として、メータ１が図示しない通信機能を備えてＰＣなどの他の装置にデータ出力することが可能である場合、当該ＰＣにおいてメータ１からの情報に基づいて有効期限管理と残量管理とがなされてもよい。つまり、開封に用いられる開封機構を備えた装置と、検査紙の保存条件の管理を行なう装置とが異なる装置であってもよい。
【００９９】
この場合、メータ１は上述の開封機構１２を備えて、図示しない通信機能を利用してＩＣタグリーダ１２３で読み取ったタグ情報およびホール素子１２４からのセンサ信号の有無を上記ＰＣに対して送信する。
【０１００】
ＰＣは、ＣＰＵがプログラムを実行することで図１０に示された各機能を実現する。これによって、ＰＣにおいて有効期限管理と残量管理とが実現される。なお、この場合、図１２に示された表示はＰＣに表示されてもよいし、メータ１に表示データが送信されて表示部１１に表示されてもよい。
【０１０１】
さらにこの場合、上記ＰＣに図１０の各機能を実現させて有効期限管理と残量管理とを実行させるためのプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読み取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１０２】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１０３】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１０４】
提供されるプログラム製品は、ハードディスクなどのプログラム格納部にインストールされて実行される。なお、プログラム製品は、プログラム自体と、プログラムが記録された記録媒体とを含む。
【０１０５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０６】
１  メータ、２  容器、２Ａ  検査紙、１１  表示部、１２  開封機構、１３  血糖測定部、１４  操作部、１５  処理部、２１  ボトル、２１Ａ  密閉機構、２１Ｂ  収容機構、２２  蓋、２２Ａ  ボトル蓋、２２Ｂ  密閉栓、５２  メモリ、１２１  ガイド、１２１Ａ  掛、１２２  開錠脚、１２２Ａ  開錠鍵、１２３  タグリーダ、１２４  ホール素子、１３１  電流測定部、２１１  凹部、２２１  開錠孔、２２２  ＩＣタグ、２２３  マグネット、２２４  施錠機構、２２４Ａ  施錠脚、２２４Ｂ  施錠鍵、５０１  測定値入力部、５０２  血糖値算出部、５０３  測定値書込部、５０４  タグ情報入力部、５０５  タグ情報書込部、５０６  センサ信号入力部、５０７  開封判断部、５０８  残量判断部、５０８Ａ  カウンタ、５０９  期日判断部、５１１  表示処理部。
【図１】
2012202691.tif 000003
【図２】
2012202691.tif 000004
【図３】
2012202691.tif 000005
【図４】
2012202691.tif 000006
【図５】
2012202691.tif 000007
【図６】
2012202691.tif 000008
【図７】
2012202691.tif 000009
【図８】
2012202691.tif 000010
【図９】
2012202691.tif 000011
【図１０】
2012202691.tif 000012
【図１１】
2012202691.tif 000013
【図１２】
2012202691.tif 000014